(57)【要約】      （修正有）【課題】扉部が施錠されていることをキャビネットの使用者に認識させることにより、使用者が無理に扉部を開こうとすることを防止できる、電子錠付きキャビネットを提供する。【解決手段】キャビネットは、一面に開口部が形成された本体部と、本体部において開口部を開閉可能に設けられた扉部１２・１２と、扉部１２・１２の施錠又は開錠を行う電子錠と、を備え、電子錠は、扉部１２・１２を閉状態で施錠するロック部１６と、ロック部１６による施錠及び開錠を制御する制御部１７と、本体部における開口部の近傍に設けられるとともにロック部１６が扉部１２・１２を施錠していることを表示する表示部１８と、を備える。【選択図】図２
2020165197.tif 000002
【特許請求の範囲】
【請求項１】
一面に開口部が形成されたキャビネット本体部と、前記キャビネット本体部において前記開口部を開閉可能に設けられた扉部と、前記扉部の施錠又は開錠を行う電子錠と、を備え、
前記電子錠は、前記扉部を閉状態で施錠するロック部と、前記ロック部による施錠及び開錠を制御する制御部と、前記キャビネット本体部における前記開口部の近傍に設けられるとともに前記ロック部が前記扉部を施錠していることを表示する表示部と、を備える、電子錠付きキャビネット。
【請求項２】
前記キャビネット本体部における前記扉部の上側には横木部材が設けられ、
前記扉部は透明板で形成され、
前記制御部は、前記横木部材の背後に設けられる、請求項１に記載の電子錠付きキャビネット。
【請求項３】
前記ロック部は、前記横木部材に一体的に設けられる、請求項２に記載の電子錠付きキャビネット。
【請求項４】
前記表示部が前記横木部材に設けられる、請求項２又は請求項３に記載の電子錠付きキャビネット。
【請求項５】
前記電子錠は、前記横木部材に設けられるとともに前記ロック部による施錠又は開錠を認証するための認証部を備える、請求項２から請求項４の何れか１項に記載の電子錠付きキャビネット。
【発明の詳細な説明】
【技術分野】
【０００１】
本発明は、閉状態の扉部を電子錠により施錠可能な、電子錠付きキャビネットに関する。
【背景技術】
【０００２】
従来、企業や学校において、パソコンやプロジェクタ等の電子機器を収容するためのキャビネットが用いられている。また、このようなキャビネットにおいて、扉部を電子錠により施錠可能とする構成が用いられている（例えば、特許文献１）。
【先行技術文献】
【特許文献】
【０００３】
【特許文献１】特開２００９−４６８８４号公報
【発明の概要】
【発明が解決しようとする課題】
【０００４】
前記の特許文献１の如く電子錠を用いて施錠するキャビネットにおいては、キャビネット本体部に鍵穴が設けられないことがある。この場合、扉部が施錠されていることにキャビネットの使用者が気付かず、無理に扉部を開こうとする可能性がある。このため、無理に扉部を開こうとした結果、キャビネットの扉部が傷ついたり破損したりする場合があった。
【０００５】
本発明は以上の如き状況に鑑みてなされたものであり、本発明が解決しようとする課題は、扉部が施錠されていることをキャビネットの使用者に認識させることにより、使用者が無理に扉部を開こうとすることを防止できる、電子錠付きキャビネットを提供することである。
【課題を解決するための手段】
【０００６】
以下では、上記課題を解決するための手段を説明する。
【０００７】
本発明に係る電子錠付きキャビネットは、一面に開口部が形成されたキャビネット本体部と、前記キャビネット本体部において前記開口部を開閉可能に設けられた扉部と、前記扉部の施錠又は開錠を行う電子錠と、を備え、前記電子錠は、前記扉部を閉状態で施錠するロック部と、前記ロック部による施錠及び開錠を制御する制御部と、前記キャビネット本体部における前記開口部の近傍に設けられるとともに前記ロック部が前記扉部を施錠していることを表示する表示部と、を備える。
【０００８】
また、前記キャビネット本体部における前記扉部の上側には横木部材が設けられ、前記扉部は透明板で形成され、前記制御部は、前記横木部材の背後に設けられることが好ましい。
【０００９】
また、前記ロック部は、前記横木部材に一体的に設けられることがより好ましい。
【００１０】
また、前記表示部が前記横木部材に設けられることがより好ましい。
【００１１】
また、前記電子錠は、前記横木部材に設けられるとともに前記ロック部による施錠又は開錠を認証するための認証部を備えることがより好ましい。
【発明の効果】
【００１２】
本発明に係る電子錠付きキャビネットによれば、扉部が施錠されていることをキャビネットの使用者に認識させることにより、使用者が無理に扉部を開こうとすることを防止できる、という効果を奏する。
【００１３】
また、扉部を透明板で形成することで内部の視認性を向上させつつ、制御部を横木部材の背後に設けることにより防犯性能を向上させることができる。
【００１４】
また、電子錠のロック部を横木部材に一体的に設けることにより、鍵穴を設けた横木部材との交換が容易になる。
【００１５】
また、表示部を横木部材に設けることにより、鍵穴を設けた横木部材との交換がより容易になる。
【００１６】
また、横木部材に、電子錠を施錠又は開錠を認証するための認証部を設けることにより、鍵穴を設けた横木部材との交換がさらに容易になる。
【図面の簡単な説明】
【００１７】
【図１】（ａ）及び（ｂ）は一実施形態に係る電子錠付きキャビネットを示す斜視図及び正面図。
【図２】ロック部及び扉部の構成を示す下方斜視図。
【図３】ロック部の組付構成を示す上方斜視図。
【図４】ロック部による施錠状態を示す断面図。
【発明を実施するための形態】
【００１８】
以下、本実施形態に係る電子錠付きキャビネット（以下、単に「キャビネット」と記載する）１について、図１から図４を用いて説明する。キャビネット１は、前面に開口部が形成されたキャビネット本体部（以下、単に「本体部」と記載する）１１と、本体部１１において開口部を両開きで開閉可能に設けられた扉部１２・１２と、を備える。本体部１１の下面は複数のローラ脚部１３・１３・・により支持されている。
【００１９】
本体部１１は、天板１１ａ、側板１１ｂ、底板１１ｃ、及び、図示しない背板を互いに直交して組付けることにより、前面が開口した筐体に形成される。本実施形態において、本体部１１は樹脂製、金属製、又は木製の板状素材を組み合わせて形成されている。
【００２０】
扉部１２・１２は透明なガラス板で形成されている。扉部１２・１２はキャビネット１における左右両端部において、図示しないヒンジにより本体部１１に対して回動可能に組付けられる。本体部１１と扉部１２・１２との間には図示しないラッチ機構が介挿されて、扉部１２・１２を閉じた際に閉状態を保つように構成されている。本体部１１の開口部における天板１１ａの下面には、扉部１２・１２の上側に角柱状の横木部材１４・１４が水平方向に設けられている。本実施形態において、横木部材１４・１４は樹脂製、金属製、又は木製の角柱部材が採用される。
【００２１】
キャビネット１は、扉部１２・１２の施錠又は開錠を行う電子錠を備える。電子錠は図２から図４に示す如く、扉部１２・１２を閉状態で施錠するロック部１６・１６と、ロック部１６・１６による施錠及び開錠を制御する制御部１７と、本体部１１における開口部の近傍に設けられるとともにロック部１６・１６が扉部１２・１２を施錠していることを表示する表示部１８と、を備える。ロック部１６・１６、制御部１７、及び、表示部１８は、図示しない配線により電気的に接続されている。
【００２２】
図２に示す如く、二個のロック部１６はそれぞれ、キャビネット１の左右方向中央部分であって、横木部材１４における扉部１２の回動側端部の上方に固定される。詳細には図３及び図４に示す如く、ロック部１６はブラケット１５に固定されており、ロック部１６が横木部材１４に形成された溝部１４ａに挿入された状態で、ブラケット１５が横木部材１４にボルトにより固定される。即ち、本実施形態においてロック部１６は横木部材１４に一体的に設けられている。
【００２３】
ロック部１６は、ケース１６ａと、ケース１６ａから進退可能に延出された挿入部１６ｂと、を備える。本実施形態において、ロック部１６にはソレノイドアクチュエータが採用される。制御部１７からロック部１６に電圧が印加されることにより、ケース１６ａから挿入部１６ｂが延出される。
【００２４】
扉部１２・１２の回動側端部の上端には、屈曲された金属板である被挿入部材２１が固定されている。被挿入部材２１は扉部１２・１２を開閉する際の取手としても機能する。被挿入部材２１には、被挿入溝２１ａが形成されている。図４に示す如く、扉部１２・１２が閉状態の際に被挿入溝２１ａにロック部１６における挿入部１６ｂが挿入されることにより、扉部１２・１２が施錠される。また、挿入部１６ｂがケース１６ａに退避した際には、扉部１２・１２が開錠される。
【００２５】
制御部１７はロック部１６に電圧を印加することにより、ロック部１６による扉部１２・１２の施錠又は開錠を制御する。制御部１７はＣＰＵ、ＲＯＭおよびＲＡＭ等を備える一般的なマイクロコンピュータにより構成され、その演算動作はすべて予め格納されたソフトウェアプログラムによって実行される。本実施形態において、制御部１７は通信機能を備えており、スマートフォン等、外部の通信機器からの信号を受信することによりロック部１６による施錠又は開錠を制御する。本実施形態においては図４に示す如く、制御部１７は横木部材１４の背後に設けられている。
【００２６】
なお、電子錠を施錠又は開錠を認証するための認証部を横木部材１４に設けることもできる。即ち、非接触型ＩＣカードによる認証、磁気カードによる認証、指紋認証、カメラ認証等の認証機能を有する認証部により、制御部１７で行う扉部１２・１２の施錠又は開錠の制御を認証させる構成とすることも可能である。
【００２７】
表示部１８は、本体部１１における開口部の近傍に位置する横木部材１４に設けられる。表示部１８は、「施錠中」と記載された着色透明板の背後に設けられたＬＥＤ等の発光部材で構成される。表示部１８は、制御部１７がロック部１６を介して扉部１２・１２を施錠している間に発光するように構成される。
【００２８】
上記の如く、本実施形態に係るキャビネット１によれば、扉部１２・１２が施錠されている際に表示部１８が発光することにより、使用者は扉部１２・１２が施錠されていることを認識することができる。このため、扉部１２・１２が施錠されていることに使用者が気付かずに、無理に扉部１２・１２を開こうとすることを防止できる。これにより、キャビネット１の扉部１２・１２が傷ついたり破損したりすることを防止できる。
【００２９】
また、キャビネット１においては、扉部１２・１２を透明のガラス板で形成することで内部の視認性を向上させている。そして、制御部１７を横木部材１４の背後に設けることにより、外部から制御部１７を見えにくくして、防犯性能を向上させている。
【００３０】
また、キャビネット１においては、電子錠のロック部１６を横木部材１４に一体的に設ける構成としている。これにより、横木部材１４を、鍵穴を設けた一般的な横木部材と容易に交換することができる。また、キャビネット１においては、表示部１８を横木部材１４に設ける構成としているこれにより、鍵穴を設けた一般的な横木部材と、より容易に交換することができる。さらに、横木部材１４に電子錠を施錠又は開錠を認証するための認証部を設ける構成とすることにより、鍵穴を設けた横木部材との交換がさらに容易になる。
【符号の説明】
【００３１】
１      キャビネット（電子錠付きキャビネット）
１１      本体部（キャビネット本体部）
１１ａ    天板                     １１ｂ    側板                 
１１ｃ    底板                     １２      扉部                 
１３      ローラ脚部               １４      横木部材             
１４ａ    溝部                     １５      ブラケット           
１６      ロック部                 １６ａ    ケース               
１６ｂ    挿入部                   １７      制御部               
１８      表示部                   ２１      被挿入部材           
２１ａ    被挿入溝             
【図１】
2020165197.tif 000003
【図２】
2020165197.tif 000004
【図３】
2020165197.tif 000005
【図４】
2020165197.tif 000006